(57)【要約】      （修正有）【課題】コンパクトに且つスムーズに折り畳むことができる、使用上の利便性が高い開閉式物干し器を提供する。【解決手段】本体と、２つの摺動部材と、２つの脚部とを有する。本体は、第１端と、第２端と、該第１端と第２端との間に摺動可能に設けられる摺動部とを有する。２つの摺動部材は、夫々が、摺動端と、移動手段を有する可動端と、夫々前記摺動部の両側に枢設される第１摺動枢設部と、該第１摺動枢設部と可動端との間に設けられる第２摺動枢設部とを有する。２つの脚部は、夫々が、前記本体の両側における第１端の近傍に同軸上に枢設され、該本体に枢着される第１枢設部と、前記第１端と、第２端と、該第１枢設部と第２端との間に設けられ、前記摺動部材の第２摺動枢設部を枢設するための第２枢設部とを備える。【選択図】図１
0003169516.tif 000002
【実用新案登録請求の範囲】
【請求項１】
第１端と、第２端と、該第１端と第２端との間に摺動可能に設けられる摺動部とを有する本体と、
夫々が、摺動端と、移動手段を有する可動端と、夫々前記摺動部の両側に枢設される第１摺動枢設部と、該第１摺動枢設部と可動端との間に設けられる第２摺動枢設部とを有する２つの摺動部材と、
夫々が、前記本体の両側における第１端の近傍に同軸上に枢設され、該本体に枢着される第１枢設部と、前記第１端と、第２端と、該第１枢設部と第２端との間に設けられ、前記摺動部材の第２摺動枢設部を枢設するための第２枢設部とを備える２つの脚部と、を有することを特徴とする開閉式物干し器。
【請求項２】
前記２つの摺動部材の移動手段はホイール部材であり、
前記本体は、間隔を置いて並列される複数本の摺動ロッドを有し、
前記本体の第１端に、前記複数本の摺動ロッドを固定するための第１固定部材が設けられ、
前記本体の第２端に、前記複数本の摺動ロッドを固定するための第２固定部材が設けられ、
前記本体の摺動部は、該複数本の摺動ロッドの長手方向に沿って該本体の第１端と第２端との間において摺動できるように、前記複数本の摺動ロッドが挿嵌され、
前記本体の摺動部には、該本体の上面に突出する制御部材が枢設されると共に、該本体の底面に、該制御部材を位置決めするための２つの位置決めピンが設けられ、
前記制御部材は、両端が前記摺動部に枢設される湾曲状のハンドル部と、該ハンドル部の両端に夫々形成され、該制御部材を摺動部に対して回動可能とする２つの枢設リングとを有し、該各枢設リングの内壁に、前記位置決めピンを挿入するるための位置決め溝が形成され、
前記第１固定部材に、前記制御部材のハンドル部を収容する収容部が形成され、
前記２つの摺動部材は夫々、前記本体の両側と脚部との間に位置し、
前記摺動部の両側に夫々１つの小径の螺設柱が設けられ、
前記各摺動部材の第１摺動枢設部は、該各摺動部材の内側における摺動端の近傍に凹設され、前記螺設柱を収容するための第１収容部と、該摺動部材の外側における第１収容部と対応する箇所に凹設されると共に、該第１収容部より大径の第２収容部と、該摺動部材が摺動部に対して回動できるように、該第１収容部に位置する螺設柱に螺入されると共に、該第２収容部に係止される頭部を備えるねじとを有することを特徴とする請求項１に記載の開閉式物干し器。
【請求項３】
前記本体の第２固定部材に設けられる取っ手部と、
前記２つの脚部の第１端の間に設けられ、該２つの脚部の第１端を連結する第１連結部材と、
前記２つの脚部の第２端の近傍に設けられ、該開閉式物干し器を折り畳んだ状態において、前記摺動部材の可動端と脚部の第２端との間に位置する第２連結部材と、
前記第２固定部材の両側から夫々延出し、前記２つの摺動部材を位置決めするための２つの位置決め部材とを有することを特徴とする請求項２に記載の開閉式物干し器。
【考案の詳細な説明】
【技術分野】
【０００１】
本考案は、特にコンパクトに折り畳むことができると共に、使用上の利便性が高い開閉式物干し器に関するものである。
【背景技術】
【０００２】
図１０に示すように、例えば、室内やベランダにおいて洗濯した衣服を干すための従来の開閉式物干し器は、第１端９１１と、第２端９１２と、該第１端９１１と第２端９１２との間に摺動可能に設けられる摺動部９１３とを有する本体９１と、
前記摺動部９１３に枢設され、第１固定手段９２３が設けられる固定端９２１と、該摺動部９１３と固定端９２１との間に設けられる摺動枢設部９２２とを有する２つの支持部材９２と、
該本体９１の第１端９１１に枢設される第１枢設部９３１と、第２固定手段９３２と、該第１枢設部９３１と第２固定手段９３２との間に設けられる、前記支持部材９２の摺動枢設部９２２を枢設するための枢設部９３３とを備える脚部９３とを有する。
【０００３】
前記従来の開閉式物干し器の摺動部材の展開状態においては、前記本体９１の摺動部９１３が該本体９１の第２端９１２の近傍に位置するので、該支持部材９２及び脚部９３に支えられた本体９１上に衣服などを置くまたは掛けることにより、衣服を干すことができる。
また、前記従来の開閉式物干し器を収納する時は、前記本体９１の摺動部９１３を本体９１の第１端９１１側へ摺動させると同時に、前記支持部材９２を脚部９３と重なるまで回転させて開閉式物干し器を折り畳めば、収納することが出来る。
【考案の概要】
【考案が解決しようとする課題】
【０００４】
しかしながら、前記従来の開閉式物干し器は、摺動部９１３を使用する時、地面と接触している前記支持部材９２の固定端９２１に設けられる第１固定手段９２３及び脚部９３の第２固定手段９３２は何れも地面との摩擦が大きいので、開閉式物干し器を展開状態のままで移動させることは極めて困難である。
【０００５】
また、前記従来の開閉式物干し器を展開又は折り畳むためには、前記摺動部９１３を本体９１の第１端９１１と第２端９１２との間に摺動させなくてはならないが、該従来の開閉式物干し器には、該摺動部９１３をスムーズに摺動させるための制御部材を有していないので、作業が非常に不便であった。
具体的には、前記摺動部９１３を本体９１の第１端９１１と第２端９１２との間に摺動させる時は、両手で該摺動部９１３の両端を持ちながら摺動させなくてはならなく、片手で簡単に該摺動部９１３を摺動させることができなかった。
【０００６】
更に、前記従来の開閉式物干し器は、折り畳んだ状態において、支持部材９２及び脚部９３を位置決めするための手段を有しないことから、使用上の利便性に優れなかった。
【０００７】
そこで、案出されたのが本考案であって、コンパクト且つスムーズに折り畳むことができると共に、使用上の利便性が高い開閉式物干し器を提供することを目的としている。
【課題を解決するための手段】
【０００８】
本願の請求項１は、第１端と、第２端と、該第１端と第２端との間に摺動可能に設けられる摺動部とを有する本体と、
夫々が、摺動端と、移動手段を有する可動端と、夫々前記摺動部の両側に枢設される第１摺動枢設部と、該第１摺動枢設部と可動端との間に設けられる第２摺動枢設部とを有する２つの摺動部材と、
夫々が、前記本体の両側における第１端の近傍に同軸上に枢設され、該本体に枢着される第１枢設部と、前記第１端と、第２端と、該第１枢設部と第２端との間に設けられ、前記摺動部材の第２摺動枢設部を枢設するための第２枢設部とを備える２つの脚部と、を有することを特徴とする開閉式物干し器、を提供する。
【０００９】
本願の請求項２の考案は、前記２つの摺動部材の移動手段はホイール部材であり、
前記本体は、間隔を置いて並列される複数本の摺動ロッドを有し、
前記本体の第１端に、前記複数本の摺動ロッドを固定するための第１固定部材が設けられ、
前記本体の第２端に、前記複数本の摺動ロッドを固定するための第２固定部材が設けられ、
前記本体の摺動部は、該複数本の摺動ロッドの長手方向に沿って該本体の第１端と第２端との間において摺動できるように、前記複数本の摺動ロッドが挿嵌され、
前記本体の摺動部には、該本体の上面に突出する制御部材が枢設されると共に、該本体の底面に、該制御部材を位置決めするための２つの位置決めピンが設けられ、
前記制御部材は、両端が前記摺動部に枢設される湾曲状のハンドル部と、該ハンドル部の両端に夫々形成され、該制御部材を摺動部に対して回動可能とする２つの枢設リングとを有し、該各枢設リングの内壁に、前記位置決めピンを挿入するための位置決め溝が形成され、
前記第１固定部材に、前記制御部材のハンドル部を収容する収容部が形成され、
前記２つの摺動部材は夫々、前記本体の両側と脚部との間に位置し、
前記摺動部の両側に夫々１つの小径の螺設柱が設けられ、
前記各摺動部材の第１摺動枢設部は、該各摺動部材の内側における摺動端の近傍に凹設され、前記螺設柱を収容するための第１収容部と、該摺動部材の外側における第１収容部と対応する箇所に凹設されると共に、該第１収容部より大径の第２収容部と、該摺動部材が摺動部に対して回動できるように、該第１収容部に位置する螺設柱に螺入されると共に、該第２収容部に係止される頭部を備えるねじとを有することを特徴とする請求項２に記載の開閉式物干し器、を提供する。
【００１０】
本願の請求項３の考案は、前記本体の第２固定部材に設けられる取っ手部と、
前記２つの脚部の第１端の間に設けられ、該２つの脚部の第１端を連結する第１連結部材と、
前記２つの脚部の第２端の近傍に設けられ、該開閉式物干し器を折り畳んだ状態において、前記摺動部材の可動端と脚部の第２端との間に位置する第２連結部材と、
前記第２固定部材の両側から夫々延出し、前記２つの摺動部材を位置決めするための２つの位置決め部材とを有することを特徴とする請求項２に記載の開閉式物干し器、を提供する。
【考案の効果】
【００１１】
本考案は上記の課題を解決するものであり、コンパクトに且つスムーズ折り畳むことができるので、使用上の利便性が極めて高い。
【図面の簡単な説明】
【００１２】
【図１】本考案に係る開閉式物干し器の斜視図である。
【図２】本考案に係る開閉式物干し器の使用状態を示す側面図である。
【図３】本考案に係る開閉式物干し器の部分斜視図である。
【図４】本考案に係る開閉式物干し器における第１摺動枢設部の部分断面図である。
【図５】本考案に係る開閉式物干し器の平面図である。
【図６】本考案に係る開閉式物干し器における制御部材の断面図である。
【図７】本考案に係る開閉式物干し器における制御部材の他の断面図である。
【図８】本考案に係る開閉式物干し器の平面図である。
【図９】本考案に係る開閉式物干し器の部分断面図である。
【図１０】従来の開閉式物干し器の斜視図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１４】
図１に示すように、本考案に係る開閉式物干し器は、本体１０と、２つの摺動部材２０と、２つの脚部３０とを有するものである。
【００１５】
前記本体１０は、第１端１１と、第２端１２と、該第１端１１と第２端１２との間に摺動可能に設けられる摺動部１３とを有する。
【００１６】
前記２つの摺動部材２０は夫々、摺動端２１と、移動手段２４を有する可動端２２と、前記摺動部１３の両側に夫々枢設される第１摺動枢設部２３と、該第１摺動枢設部２３と可動端２２との間に設けられる第２摺動枢設部２５とを有する。
【００１７】
前記２つの脚部３０は夫々、前記本体１０の両側における第１端１１の近傍に同軸上に枢設され、該本体１０に枢着される第１枢設部３３と、第１端３１と、第２端３２と、該第１枢設部３３と第２端３２との間に設けられ、前記摺動部材２０の第２摺動枢設部２５を枢設するための第２枢設部３４とを有する。
【００１８】
図２に示すように、本考案に係る開閉式物干し器を使用する時は、摺動部材２０における可動端２２の移動手段２４で開閉式物干し器を支持しながら、本体１０の第２端１２をやや持ち上げて、脚部３０の第２端３２を共に地面から持ち上げ、該本体１０の第２端２２を持って、該開閉式物干し器を押すもしくは引っ張ることで容易に該開閉式物干し移動させることができるのみならず、さらに本体１０衣服やバスケット８０などを載せて共に搬送することを容易に行うことができる。
【００１９】
なお、図３に示すように、２つの摺動部材２０の移動手段２４は、ホイール部材であってもよく、具体的には、該移動手段２４が、該摺動部材２０の可動端２２に取り付けられる保持部材２４１と、該保持部材２４１の両側に同軸に設けられる２つのホイール２４２とからなるものであってもよい。
【００２０】
図１に示すように、この実施例において本体１０は、間隔を置いて並列される複数本の摺動ロッド１０３を有するものであり、該本体１０の第１端１１に、前記複数本の摺動ロッド１０３を固定するための第１固定部材１０１が設けられると共に、該本体１０の第２端１２に、該複数本の摺動ロッド１０３を固定するための第２固定部材１０２が設けられ、該本体１０の摺動部１３は、該複数本の摺動ロッド１０３の長手方向に沿って該本体１０の第１端１１と第２端１２との間において摺動できるように、前記複数本の摺動ロッド１０３が挿嵌される。
【００２１】
図４及び図５に示すように、２つの摺動部材２０は夫々、本体１０の両側と脚部３０との間に位置し、摺動部１３の両側に夫々１つの小径の螺設柱１３１が設けられ、前記各摺動部材２０の第１摺動枢設部２３は、該各摺動部材２０の内側における摺動端２１の近傍に凹設され、該螺設柱１３１を収容するための第１収容部２３１と、該摺動部材２０の外側における第１収容部２３１と対応する箇所に凹設されると共に、該第１収容部２３１より大径の第２収容部２３２と、該摺動部材２０が摺動部１３に対して回動できるように、該第１収容部２３１に位置する螺設柱１３１に螺入されると共に、該第２収容部２３２に係止される頭部２３４備えるねじ２３３とを有する。
【００２２】
本考案に係る開閉式物干し器は上述した構成を有するので、該開閉式物干し器を製造する工程の一環としての組立工程において、簡単かつ素早く該摺動部材２０が摺動部１３に対して回動できるように、該摺動部材２０と摺動部１３とを結合させることができる。具体的な詳細な構成は、前記ねじ２３３を前記螺設柱１３１に緊締せず、摺動部１３と摺動部材２０の内側との間に遊びができ、又は該ねじ２３３の頭部２３４と前記第１収容部２３１との間に遊びができた状態まで該ねじ２３３が前記螺設柱１３１に螺入される構成が好ましい。
【００２３】
尚、図１、図６及び図７に示すように、本考案に係る開閉式物干し器は、さらに以下の技術特徴を有してもよい。
【００２４】
前記本体１０の摺動部１３には、該本体１０の上面に突出する制御部材１３２が枢設されると共に、該本体１０の底面に、該制御部材１３２を位置決めするための２つの位置決めピン１３５が設けられる。
【００２５】
前記制御部材１３２は、両端が前記摺動部１３に枢設される湾曲状のハンドル部１３３と、該ハンドル部１３３の両端に夫々形成され、該制御部材１３２を摺動部１３に対して回動可能とする２つの枢設リング１３４とを有し、該各枢設リング１３４の内壁に、前記位置決めピン１３５を挿入する位置決め溝１３６を有する。
【００２６】
前記構成によれば、前記摺動部１３を本体１０の第１端１１と第２端１２との間において摺動させようとする時、該制御部材１３２が該本体１０の上面から突出しながら回動するので、該制御部材１３２を持ったまま簡単かつスムーズに該摺動部１３を摺動させることができる。
また、例えば、前記摺動部材２０及び脚部３０で本体１０を支持すように、該摺動部１３を本体１０の第２端１２の近傍まで摺動させると、衣服を干す作業を妨げずに該制御部材１３２を逆方向回転させることができ、すなわち、該制御部材１３２によれば、該摺動部１３を簡単に且つスムーズに摺動させることができるので、開閉式物干し器の展開又は折り畳み作業の利便性を大幅に向上させることができる。
【００２７】
なお、この実施例においては、前記第１固定部材１０１に前記制御部材１３２のハンドル部１３３を収容する収容部１０４が設けられることから、折り畳んだ状態の時に、該第１固定部材１０１の収容部１０４に制御部材１３２のハンドル部１３３を収容することができるので、無駄なスペースを省くことができる。
即ち、本考案に係る開閉式物干し器は、上述したように、前記制御部材１３２によって作業上の利便性を有し、収納する時は、該制御部材１３２を本体１０の上面から過度に突出させないように前記収容部１０４に収容されるので、よりコンパクトに折り畳むことができる。
【００２８】
尚、図１、図８及び図９に示すように、本考案に係る開閉式物干し器はさらに、取っ手部１０５と、第１連結部材３０１と、第２連結部材３０２と、２つの位置決め部材１０６とを有することが好ましい。
【００２９】
前記取っ手部１０５は、前記本体１０の第２固定部材１０２に形成されると共に、前記第１連結部材３０１は、前記２つの脚部３０の第１端３１の間に設けられて、該２つの脚部３０の第１端３１を連結させるものであり、前記第２連結部材３０２は、前記２つの脚部３０の第２端３２の近傍に設けられて、本考案に係る開閉式物干し器を折り畳んだ状態において、前記摺動部材２０の可動端２２と脚部３０の第２端３２との間に位置する。
尚、前記第１連結部材、及び第２連結部材の構成によれば、前記脚部３０の構造上の強度をより高めることができる。
【００３０】
前記２つの位置決め部材１０６は、前記第２固定部材１０２の両側から夫々延出し、前記２つの摺動部材２０を位置決めするためのものであり、本考案に係る開閉式物干し器を折り畳んだ状態において、該摺動部材２０における脚部３０及び本体１０に対する不要な揺動を防ぐように該摺動部材２０を位置決めすることから、折り畳んだ状態の本考案に係る開閉式物干し器の安定性を向上させることができる。
【００３１】
なお、前記摺動部材２０の構造上の強度をより高めるために、前記２つの摺動部材２０の可動端２２の近傍に、該２つの摺動部材２０を連結させる第３連結部材を設けてもかまわない。
【産業上の利用可能性】
【００３２】
本考案は上記の構成を有するので、コンパクトに且つスムーズに折り畳むことができるので、使用上の利便性を高めることができる。
【符号の説明】
【００３３】
１０１  第１固定部材
１０２  第２固定部材
１０３  摺動ロッド
１０４  収容部
１０５  取っ手部
１０６  位置決め部材
１０    本体
１１    本体の第１端
１２    本体の第２端
１３１  螺設柱
１３２  制御部材
１３３  ハンドル部
１３４  枢設リング
１３５  位置決めピン
１３６  位置決め溝
１３    摺動部
２０    摺動部材
２１    摺動部材の摺動端
２２    摺動部材の可動端
２３１  第１収容部
２３２  第２収容部
２３３  ねじ
２３４  頭部
２３    第１摺動枢設部
２４    移動手段
２４１  保持部材
２４２  ホイール
２５    第２摺動枢設部
３０１  第１連結部材
３０２  第２連結部材
３０    脚部
３１    脚部の第１端
３２    脚部の第２端
３３    第１枢設部
３４    第２枢設部
【図１】
0003169516.tif 000003
【図２】
0003169516.tif 000004
【図３】
0003169516.tif 000005
【図４】
0003169516.tif 000006
【図５】
0003169516.tif 000007
【図６】
0003169516.tif 000008
【図７】
0003169516.tif 000009
【図８】
0003169516.tif 000010
【図９】
0003169516.tif 000011
【図１０】
0003169516.tif 000012